(57)【特許請求の範囲】
【請求項１】
１または複数のセルまたはセクタを夫々有する第１及び第２の基地局装置と、端末装置との間で無線通信を行う無線通信システムにおいて、
前記第１の基地局装置は、
第１の送信データを前記端末装置に送信するとき、第１のスクランブリングコードを用いて前記第１の送信データをスクランブリング処理する処理部と、
前記第１のスクランブリングコードを用いて前記スクランブリング処理された前記第１の送信データを前記端末装置に送信する送信部とを備え、
前記第２の基地局装置は、
前記第１の基地局装置から送信される前記第１の送信データとは異なる第２の送信データを前記端末装置に送信する際に、前記第１の基地局装置で用いられる前記第１のスクランブリングコードとは所定の位相差を有する第２のスクランブリングコードを用いて、前記第２の送信データをスクランブリング処理する処理部と、
前記第２のスクランブリングコードを用いてスクランブリング処理された前記第２の送信データを前記端末装置に送信する送信部とを備え、
前記端末装置は、前記第１及び第２の基地局装置から送信された前記第１及び第２の送信データを受信し、前記第１のスクランブリングコード及び前記第１のスクランブリングコードとは所定の位相差を有する第２のスクランブリングコードを用いて夫々前記第１及び第２の送信データをデスクランブリング処理する受信部とを備えることを特徴とする無線通信システム。
【請求項２】
前記第１の基地局装置の送信部は、前記位相差を示す位相差情報を前記端末装置に送信し、
前記端末装置の受信部は、前記位相差情報に基づいて前記第２のスクランブリングコードを作成することを特徴とする請求項１記載の無線通信システム。
【請求項３】
前記第１の基地局装置は、プリコーディング情報を作成するスケジューラを備え、
前記スケジューラは前記プリコーディング情報を前記第２の基地局装置に送信し、前記第１及び第２の基地局装置の各送信部は、前記プリコーディング情報に基づいて前記第１及び第２の送信データに重み付けをして前記端末装置に送信することを特徴とする請求項１記載の無線通信システム。
【請求項４】
１または複数のセルまたはセクタを夫々有する第１及び第２の基地局装置と、端末装置との間で無線通信を行う無線通信システムにおける無線通信方法であって、
前記第１の基地局装置は、
第１の送信データを前記端末装置に送信するとき、第１のスクランブリングコードを用いて前記第１の送信データをスクランブリング処理し、
前記第１のスクランブリングコードを用いて前記スクランブリング処理された前記第１の送信データを前記端末装置に送信し、
前記第２の基地局装置は、
前記第１の基地局装置から送信される前記第１の送信データとは異なる第２の送信データを前記端末装置に送信する際に、前記第１の基地局装置で用いられる前記第１のスクランブリングコードとは所定の位相差を有する第２のスクランブリングコードを用いて、前記第２の送信データをスクランブリング処理し、
前記第２のスクランブリングコードを用いてスクランブリング処理された前記第２の送信データを前記端末装置に送信し、
前記端末装置は、前記第１及び第２の基地局装置から送信された前記第１及び第２の送信データを受信し、前記第１のスクランブリングコード及び前記第１のスクランブリングコードとは所定の位相差を有する第２のスクランブリングコードを用いて夫々前記第１及び第２の送信データをデスクランブリング処理する、
ことを特徴とする無線通信方法。
【請求項５】
他の基地局装置とともに端末装置との間で無線通信を行う基地局装置において、
前記他の基地局装置から前記端末装置に送信される送信データとは異なる送信データを前記端末装置に送信する際に、前記他の基地局装置で用いられるスクランブリングコードとは所定の位相差を有するスクランブリングコードを用いて、自基地局装置から前記端末装置に送信される前記送信データをスクランブリング処理する処理部と、
前記他の基地局装置で用いられるスクランブリングコードとは所定の位相差を有する前記スクランブリングコードを用いて前記スクランブリング処理された前記送信データを前記端末装置に送信する送信部と
を備えることを特徴とする基地局装置。
【請求項６】
第１及び第２の基地局装置と無線通信を行う端末装置において、  
前記第１の基地局装置からの第１の送信データ及び前記第２の基地局装置からの第２の送信データを受信し、前記受信した第１の送信データを第１のスクランブリングコードを用いてスクランブリング処理し、前記受信した第２の受信データを前記第１のスクランブリングコードとは所定の位相差を有する第２のスクランブリングコードを用いてデスクランブリング処理する受信部
を備えることを特徴とする端末装置。
【請求項７】
第１及び第２の基地局装置と、端末装置との間で無線通信を行う無線通信システムにおいて、
前記端末装置は、
前記第１の基地局装置に対して送信する第１の送信データを第１のスクランブリングコードを用いてスクランブリング処理し、前記第２の基地局装置に対して送信する第２の送信データを前記第１のスクランブリングコードとは所定の位相差を有する第２のスクランブリングコードを用いてスクランブリング処理する処理部と、
前記第１及び第２のスクランブリングコードを用いてスクランブリング処理された第１及び第２の送信データを送信する送信部とを備え、
前記第１の基地局装置は、前記第１のスクランブリングコードを用いて前記第１の送信データに対してデスクランブリング処理を行う受信部を備え、
前記第２の基地局装置は、前記第１のスクランブリングコードとは所定の位相差を有する第２のスクランブリングコードを用いて前記第２の送信データに対してデスクランブリング処理を行う受信部を備える
ことを特徴とする無線通信システム。
【請求項８】
第１及び第２の基地局装置と、端末装置との間で無線通信を行う無線通信システムにおける無線通信方法であって、
前記端末装置は、
前記第１の基地局装置に対して送信する第１の送信データを第１のスクランブリングコードを用いてスクランブリング処理し、
前記第２の基地局装置に対して送信する第２の送信データを前記第１のスクランブリングコードとは所定の位相差を有する第２のスクランブリングコードを用いてスクランブリング処理し、
前記第１の基地局装置は、前記第１のスクランブリングコードを用いて前記第１の送信データに対してデスクランブリング処理を行い、
前記第２の基地局装置は、前記第１のスクランブリングコードとは所定の位相差を有する第２のスクランブリングコードを用いて前記第２の送信データに対してデスクランブリング処理を行う
ことを特徴とする無線通信方法。
【請求項９】
他の基地局装置とともに端末装置との間で無線通信を行う基地局装置において、
前記端末装置から受信した受信信号に対して、前記他の基地局装置で前記端末装置との無線通信に用いられるスクランブルリングコードとは所定の位相差を有するスクランブリングコードを用いてデスクランブリング処理を行う受信部
を備えることを特徴とする基地局装置。
【請求項１０】
第１及び第２の基地局装置と無線通信を行う端末装置において、
前記第１の基地局装置に対して送信する第１の送信データを第１のスクランブリングコードを用いてスクランブリング処理し、前記第２の基地局装置に対して送信する第２の送信データを前記第１のスクランブリングコードとは所定の位相差を有する第２のスクランブリングコードを用いてスクランブリング処理する処理部と、
前記第１及び第２のスクランブリングコードを用いてスクランブリング処理された第１及び第２の送信データを送信する送信部と
を備えることを特徴とする端末装置。
【請求項１１】
第１の無線エリアを提供する第１の通信部と第２の無線エリアを提供する第２の通信部とを有する基地局装置と、端末装置との間で無線通信を行う無線通信システムにおいて、
前記第１の通信部は、
第１の送信データを前記端末装置に送信するとき、第１のスクランブリングコードを用いて前記第１の送信データに対してスクランブリング処理する第１の処理部と、
前記第１のスクランブリングコードを用いてスクランブリング処理された前記第１の送信データを前記端末装置に送信する第１の送信部とを備え、
前記第２の通信部は、
前記第１の通信部から送信される前記第１の送信データとは異なる第２の送信データを前記端末装置に送信する際に、前記第１の通信部で用いられる前記第１のスクランブリングコードとは所定の位相差を有する第２のスクランブリングコードを用いて、前記第２の送信データをスクランブリング処理する第２の処理部と、
前記第２のスクランブリングコードを用いてスクランブリング処理された前記第２の送信データを前記端末装置に送信する第２の送信部とを備え、
前記端末装置は、前記第１及び第２の送信部から送信された前記第１及び第２の送信データを受信し、前記第１のスクランブリングコード及び前記第１のスクランブリングコードとは所定の位相差を有する第２のスクランブリングコードを用いて前記第１及び第２の送信データをデスクランブリング処理する受信部を備えることを特徴とする無線通信システム。
【請求項１２】
第１の無線エリアを提供する第１の通信部と第２の無線エリアを提供する第２の通信部とを有する基地局装置と、端末装置との間で無線通信を行う無線通信システムにおいて、
前記端末装置は、
前記第１の基地局装置に対して送信する第１の送信データを第１のスクランブリングコードを用いてスクランブリング処理し、前記第２の基地局装置に対して送信する第２の送信データを前記第１のスクランブリングコードとは所定の位相差を有する第２のスクランブリングコードを用いてスクランブリング処理する処理部と、
前記第１及び第２のスクランブリングコードを用いてスクランブリング処理された第１及び第２の送信データを送信する送信部とを備え、
前記基地局装置の第１の通信部は、前記第１のスクランブリングコードを用いて前記第１の送信データに対してデスクランブリング処理を行う第１の受信部を備え、
前記基地局装置の第２の通信部は、前記第１のスクランブリングコードとは所定の位相差を有する第２のスクランブリングコードを用いて前記第２の送信データに対してデスクランブリング処理を行う第２の受信部を備える
ことを特徴とする無線通信システム。
【発明の詳細な説明】
【技術分野】
【０００１】
本発明は、無線通信システム、基地局装置、端末装置、及び無線通信システムにおける無線通信方法に関する。
【背景技術】
【０００２】
ＬＴＥ‐Ａ（LTE-Advanced）システムでは、ＣｏＭＰ（Coordinate Multi Point
access）による無線通信が検討されている（例えば、以下の非特許文献１、２）。【０００３】
ＣｏＭＰは、例えば、端末が複数の基地局（またはセクタ）と通信可能な領域に位置するとき、各基地局がＭＩＭＯ（Multiple
Input Multiple Output）を用いて異なるデータを端末に送信することにより実行される。【０００４】
一方、ＬＴＥなどの無線通信システムにおいて、基地局は送信データに対してスクランブリング処理を行う（例えば、以下の非特許文献３、４）。例えば、基地局は、送信データｂ（０），．．．，ｂ（Ｍｂｉｔ−１）とスクランブリングコードｃ（ｉ）とを加算し、「２」の剰余（Modulo）を演算することで、スクランブリングを実施する。すなわち、【０００５】
【数１】
0005445585.tif 000002
【０００６】
となる。ここで、スクランブリングコードｃ（ｉ）は例えば長さ「３１」のゴールド符号であり、その場合以下の生成多項式で求められる。【０００７】
【数２】
0005445585.tif 000003
【０００８】
【数３】
0005445585.tif 000004
【０００９】
【数４】
0005445585.tif 000005
【００１０】
ここで、【００１１】
【数５】
0005445585.tif 000006
【００１２】
であり、更に、スクランブリングコードｃ（ｉ）の初期値は以下で与えられる。【００１３】
【数６】
0005445585.tif 000007
【００１４】
すなわち、スクランブリングコードｃ（ｉ）の初期値は、端末番号【００１５】
【数７】
0005445585.tif 000008
【００１６】
、（物理）セル（またはセクタ）番号【００１７】
【数８】
0005445585.tif 000009
【００１８】
、及びスロット番号【００１９】
【数９】
0005445585.tif 000010
【００２０】
で決まる値である。【００２１】
なお、この種の従来技術として、例えば、移動局から通知された受信品質に基づいて、移動局に対して送信する送信セクタを少なくとも２つ選択し、移動局に対して送信割り当てを行う送信割り当て手段と、送信セクタからセクタ識別のための同じスクランブリングコードを使用して移動局に送信する送信手段を備える制御装置等が開示される（例えば、以下の特許文献１）。【００２２】
また、例えば、基地局固有スクランブリングコードを生成する基地局固有スクランブル生成部と、セクタ固有の直交系列を生成するセクタ固有直交系列生成部と、物理チャネル毎のソフト合成の要否に基づいて、前記基地局固有スクランブリングコードと前記セクタ固有直交系列の乗算の要否を制御する乗算制御部とを備える基地局装置等が開示される（例えば、以下の特許文献２）。
【先行技術文献】
【特許文献】
【００２３】
【特許文献１】特開２００６‐３１１４７５号公報
【特許文献２】特開２００８‐９２３７９号公報
【非特許文献】
【００２４】
【非特許文献１】3GPP TSG-RAN-WG1 R1-084203
【非特許文献２】3GPP TS 36.210 V8.6.0
【非特許文献３】3GPP TS 36.211 V8.2.0
【非特許文献４】3GPP TSG-RAN-WG1 R1-081229
【発明の概要】
【発明が解決しようとする課題】
【００２５】
上述したようにスクランブリングコードの初期値は、端末番号、セル番号、及びスロット番号から決定されるが、端末番号はセル毎に基地局により設定され、セル番号もセル毎に異なる。また、スロット番号もセル間で異なる番号となる場合もある。従って、異なるセルから端末に対してＣｏＭＰ送信を行う場合、スクランブリングコードの初期値はセルごとに異なる値となる。よって、各基地局と端末は、異なるスクランブリングコードを作成し、これを用いてスクランブリング及びデスクランブリングの処理を行うことになる。従って、各基地局及び端末は処理が複雑になり、さらに消費電力も大きくなる。【００２６】
また、特許文献１及び２に記載されたものは、２つのセクタから異なるデータが送信される場合については開示されていない。特許文献１に記載されているように、同じスクランブリングコードを使用して、２つのセクタから異なるデータが送信された場合、移動局は２つの信号を受信するが、これらの２つの信号は混信し、２つのセクタから送信されたデータを識別できないからである。【００２７】
そこで、本発明の一目的は、端末装置または基地局装置において処理の軽減を図るようにした無線通信システム、基地局装置、端末装置、及び無線通信システムにおける無線通信方法を提供することにある。【００２８】
また、本発明の他の目的は、端末装置または基地局装置において消費電力の削減を図るようにした無線通信システム等を提供することにある。
【課題を解決するための手段】
【００２９】
一態様によれば、１または複数のセルまたはセクタを夫々有する第１及び第２の基地局装置と、端末装置との間で無線通信を行う無線通信システムにおいて、前記第１及び第２の基地局装置は、前記セルまたは前記セクタ毎に夫々異なる第１及び第２の送信データを前記端末装置に夫々送信するとき、所定位相差の第１及び第２のスクランブリングコードを用いて夫々前記第１及び第２の送信データをスクランブリング処理する処理部と、前記スクランブリング処理された前記第１及び第２の送信データを前記端末装置に夫々送信する送信部とを夫々備え、前記端末装置は、前記第１及び第２の送信データを受信し、前記第１及び第２のスクランブリングコードを用いて夫々前記第１及び第２の送信データをデスクランブリング処理する受信部とを備える。【００３０】
また、他の態様によれば、１または複数のセルまたはセクタを夫々有する第１及び第２の基地局装置と、端末装置との間で無線通信を行う無線通信システムにおいて、前記端末装置は、前記セルまたは前記セクタ毎に夫々異なる第１及び第２の送信データに対して、第１のスクランブリングコードを用いてスクランブリング処理する処理部と、前記スクラブリング処理された第１及び第２の送信データを夫々前記第１及び第２の基地局装置に送信する送信部とを備え、前記第１及び第２の基地局装置は、前記第１のスクランブリングコードを用いて夫々前記第１及び第２の送信データに対してデスクランブリング処理を行う受信部を夫々備える。
【発明の効果】
【００３１】
端末装置または基地局装置において処理の軽減を図るようにした無線通信システム、基地局装置、端末装置、及び無線通信システムにおける無線通信方法を提供することができる。また、端末装置または基地局装置において消費電力の削減を図るようにした無線通信システム等を提供することができる。
【図面の簡単な説明】
【００３２】
【図１】図１は無線通信システムの構成例を示す図である。
【図２】図２は下り方向における無線通信システムの構成例を示す図である。
【図３】図３はマスタ基地局装置の構成例を示す図である。
【図４】図４はスレーブ基地局装置の構成例を示す図である。
【図５】図５は端末装置の構成例を示す図である。
【図６】図６はゴールド符号生成器の構成例を示す図である。
【図７】図７はゴールド符号生成器の構成例を示す図である。
【図８】図８はゴールド符号生成器の構成例を示す図である。
【図９】図９はスクランブリングコード作成部の構成例を示す図である。
【図１０】図１０は動作例を示すフローチャートである。
【図１１】図１１は動作例を示すフローチャートである。
【図１２】図１２は下り方向における無線通信システムの構成例を示す図である。
【図１３】図１３はマスタ基地局装置の構成例を示す図である。
【図１４】図１４はスレーブ基地局装置の構成例を示す図である。
【図１５】図１５は動作例を示すフローチャートである。
【図１６】図１６は上り方向における無線通信システムの構成例を示す図である。
【図１７】図１７はマスタ基地局装置の構成例を示す図である。
【図１８】図１８はスレーブ基地局装置の構成例を示す図である。
【図１９】図１９は端末装置の構成例を示す図である。
【図２０】図２０は動作例を示すフローチャートである。
【図２１】図２１は動作例を示すフローチャートである。
【図２２】図２２は端末の構成例を示す図である。
【図２３】図２３は端末の構成例を示す図である。
【図２４】図２４は基地局装置の構成例を示す図である。
【発明を実施するための形態】
【００３３】
本発明を実施するための形態について以下説明する。図１は無線通信システム１０の構成例を示す図である。無線通信システム１０は、２つの基地局装置（ｅＮＢ：evolved
Node_B、以下「基地局」）１００‐１，１００‐２と、端末装置（ＵＥ：User Equipment、以下「端末」）２００とを備える。基地局１００‐１，１００‐２は異なるデータを送信し、端末２００はこれを受信する（下り方向）。また、端末２００は異なるデータを基地局１００‐１，１００‐２に送信することもできる（上り方向）。基地局１００‐１，１００‐２と端末２００はともに所謂ＣｏＭＰ通信を行うことができる。以下では、下り方向（第１及び第２の実施例）と上り方向（第３の実施例）に分けて説明する。なお、３ＧＰＰにおいて「セル」は、所謂「セクタ」と同内容で定義されており、以下の実施例でも特に断らない限り、「セル」＝「セクタ」として説明する。
【００３４】
＜第１の実施例＞
まず、下り方向について説明する。図２は下り方向における無線通信システム１０の構成例を示す図である。２つの基地局１００‐１，１００‐２のうち、基地局１００‐１はマスタ基地局、基地局１００‐２はスレーブ基地局である。マスタ基地局１００‐１は、例えばＣｏＭＰ送信を実施する前に端末２００と接続中の基地局であり、スレーブ基地局１００‐２は例えばＣｏＭＰ送信を実施する基地局である。マスタ基地局１００‐１は制御信号を端末２００に送信する。端末２００は、制御信号に基づいて、マスタ基地局１００‐１とスレーブ基地局１００‐２から送信された、異なる送信データ（ＤＳＣＨ）を受信する。
【００３５】
＜マスタ基地局の構成例＞
第１の実施例におけるマスタ基地局１００‐１の構成例について説明する。図３はマスタ基地局１００‐１を示す図である。
【００３６】
マスタ基地局１００‐１は、アンテナ１０１と、受信無線部１０２と、復調・復号部１０３と、接続要求信号抽出部１０４と、無線回線制御部１０５と、セル情報信号作成部１０６と、ＣｏＭＰ通信要求信号抽出部１０７と、ＣｏＭＰ通信実施判定及び制御部（以下、「制御部」）１０８と、無線回線品質情報抽出部１０９と、スケジューラ１１０と、制御信号作成部１１１と、スクランブリングコード作成部１１２と、送信データバッファ１１３と、符号化・変調部１１４と、送信無線部１１５とを備える。
【００３７】
アンテナ１０１は、端末２００との間で無線信号を送受信する。
【００３８】
受信無線部１０２は、アンテナ１０１で受信した無線信号を受信信号として出力する。
【００３９】
復調・復号部１０３は、受信無線部１０２から出力された受信信号を復調及び復号を行う。
【００４０】
接続要求信号抽出部１０４は、復調等された受信信号から接続要求信号を抽出する。接続要求信号は、例えば、端末２００がマスタ基地局１００‐１との間で回線接続の要求を行うときに使用される信号である。
【００４１】
無線回線制御部１０５は、接続要求信号抽出部１０４から接続要求信号を入力すると、例えば内部に保持（または記憶）された複数あるセル番号と端末番号のうちいずれかのセル番号と端末番号を選択して、セル情報信号作成部１０６及びスクランブリングコード作成部１１２に出力する。
【００４２】
セル情報信号作成部１０６は、無線回線制御部１０５から出力されたセル番号及び端末番号と、スケジューラ１１０から出力されたスロット番号とからセル情報を作成する。作成したセル情報は、セル情報信号としてＣｏＭＰ送信を実施する基地局（例えば、スレーブ基地局１００‐２）に送信される。また、セル情報信号作成部１０６は、セル情報信号を端末２００に送信するために符号化・変調部１１４にも出力する。さらに、セル情報信号作成部１０６は、マスタ基地局１００‐１とスレーブ基地局１００‐２とがそれぞれ生成するスクランブリングコードの位相差を示す位相差情報をスレーブ基地局１００‐２に送信する。位相差は、例えば、マスタ基地局１００‐１が生成するスクランブリングコードに対する、スレーブ基地局１００‐２が生成するスクランブリングコードの位相差である。セル情報信号作成部１０６は、位相差情報を端末２００にも通知するため、当該位相差情報を符号化・変調部１１４に出力する。位相差情報の詳細は後述する。セル情報信号作成部１０６は、例えば位相差情報を予め保持（または記憶）する。
【００４３】
ＣｏＭＰ通信要求信号抽出部１０７は、復調・復号部１０３から出力された受信信号のうちＣｏＭＰ通信要求信号を抽出する。ＣｏＭＰ通信要求信号は、例えば端末２００がＣｏＭＰ通信を行いたいときに端末２００から送信された信号である。
【００４４】
制御部１０８は、ＣｏＭＰ送信を実施するか否かを判定し、ＣｏＭＰ送信を実施すると判定したとき、ＣｏＭＰ送信実施通知をスレーブ基地局１００‐２に通知する。制御部１０８は、例えば、無線回線品質情報抽出部１０９から出力された無線回線品質と、スレーブ基地局１００‐２から送信された無線回線品質とに基づいてＣｏＭＰ送信を実施するか否かを判定する。ＣｏＭＰ送信実施通知は、スケジューラ１１０とセル情報信号作成部１０６にも出力される。
【００４５】
無線回線品質情報抽出部１０９は、復調・復号部１０３から出力された受信信号のうち無線回線品質情報を抽出する。無線回線品質情報は、例えば端末２００から送信された情報である。
【００４６】
スケジューラ１１０は、無線回線品質情報抽出部１０９から出力された無線回線品質情報に基づいて、端末２００との下り方向の通信で使用される符号化率、変調方式等を決定する（スケジューリングを行う）。スケジューラ１１０は決定した符号化率等に関するスケジューリング情報を制御信号作成部１１１に出力する。また、スケジューラ１１０は、スケジューリング情報のうち使用周波数とプリコーディング情報とをＣｏＭＰ制御信号としてスレーブ基地局１００‐２に送信し、スロット番号をセル情報信号作成部１０６とスクランブリングコード作成部１１２に出力する。なお、スケジューラ１１０は、決定したスケジューリング情報に従って送信データに対する符号化処理等が行われるように符号化・変調部１１４と送信無線部１１５とを制御する。
【００４７】
制御信号作成部１１１は、スケジューラ１１０から出力されたスケジューリング情報を含む制御信号を作成し、符号化・変調部１１４に出力する。
【００４８】
スクランブリングコード作成部１１２は、スケジューラ１１０から出力されたスロット番号と、無線回線制御部１０５から出力されたセル番号及び端末番号とに基づいて、スクランブリングコードの初期値を作成し、スクランブリングコードを作成する。スクランブリングコード作成部１１２の詳細は後述する。
【００４９】
送信データバッファ１１３は、マスタ基地局１００‐１から端末２００に送信される送信データを一時記憶する。
【００５０】
符号化・変調部１１４は、スクランブリングコード作成部１１２で作成されたスクランブリングコードを用いて、送信データバッファ１１３から出力された送信データに対しスクランブリング処理を行う。また、符号化・変調部１１４はスクランブリング後の送信データをスケジューリング情報に基づいて符号化及び変調する。なお、符号化・変調部１１４は、セル情報と制御信号とに対して符号化等の処理を行うが、これらに対してスクランブリング処理を行ってもよい。
【００５１】
送信無線部１１５は、例えば、符号化・変調部１１４から出力された送信データ等に対して、スケジューラ１１０で作成されたプリコーディング情報に従い、重み付けの処理（またはウェイト処理）等を行う。また、送信無線部１１５は、例えばパイロット信号（または既知信号）を生成する。送信無線部１１５からの出力は無線信号としてアンテナ１０１を介して端末２００に送信される。
【００５２】
＜スレーブ基地局の構成例＞
次に第１の実施例におけるスレーブ基地局１００‐２の構成例について説明する。図４はスレーブ基地局１００‐２の構成例を示す図である。スレーブ基地局１００‐２は、マスタ基地局１００‐１と同様の構成である。
【００５３】
制御部１０８は、ＣｏＭＰ通信要求信号抽出部１０７からＣｏＭＰ通信要求信号を入力し、さらにマスタ基地局１００‐１からＣｏＭＰ実施通知を受信すると、ＣｏＭＰ実施通知をスケジューラ１１０に出力する。
【００５４】
スケジューラ１１０は、無線回線品質情報抽出部１０９から出力された無線回線品質情報に基づいて下り方向のスケジューリングを行う。また、スケジューラ１１０は、制御部１０８からＣｏＭＰ実施通知を受け取り、マスタ基地局１００‐１からＣｏＭＰ制御信号を受信すると、ＣｏＭＰ送信のためのスケジューリングを行う。スケジューラ１１０は、スケジューリングに従い符号化処理等が行われるように符号化・変調部１１４と送信無線部１１５を制御する。
【００５５】
スクランブリングコード作成部１１２は、マスタ基地局１００‐１からのセル情報（セル番号、端末番号、スロット番号を含む情報）と位相差情報とを入力し、マスタ基地局１００‐１が生成するスクランブリングコード（例えば、第１のスクランブリングコード）に対して位相差のあるスクランブリングコード（例えば、第２のスクランブリングコード）を作成する。その詳細は後述する。スクランブルコード作成部１１２は、作成したスクランブリングコードを符号化・変調部１１４に出力する。
【００５６】
符号化・変調部１１４は、スクランブリングコードを用いて送信データ等に対するスクランブリング処理等を行う。
【００５７】
＜端末の構成例＞
次に端末２００の構成例について説明する。図５は端末２００の構成例を示す図である。
【００５８】
端末２００は、アンテナ２０１と、受信無線部２０２と、復調・復号部２０３と、無線回線品質測定及び算出部（以下、算出部）２０４と、無線回線品質情報作成部２０５と、セル情報及び位相差情報抽出部（以下、位相差情報抽出部）２０６と、スクランブリングコード作成部２０７と、受信制御信号抽出部２０８と、端末設定制御部２０９と、受信電力測定部２１０と、回線接続制御部２１１と、接続要求信号作成部２１２と、符号化・変調部２１３と、送信無線部２１４と、ＣｏＭＰ通信制御部２２０と、ＣｏＭＰ通信要求信号作成部２２１とを備える。
【００５９】
アンテナ２０１は、各基地局１００‐１，１００‐２との間で無線信号を送受信する。
【００６０】
受信無線部２０２は、アンテナ２０１で受信した無線信号を受信信号として出力する。
【００６１】
復調部・復号部２０３は、スクランブリングコード作成部２０７で作成されたスクランブリングコードを用いて受信信号をデスクランブリングし、端末設定制御部２０９により設定された復調方式等に従い、受信信号に対して復調及び復号を行う。
【００６２】
算出部２０４は、マスタ基地局１００‐１またはスレーブ基地局１００‐２から送信されたパイロット信号等に対して、各無線回線の無線品質を測定する。算出部２０４は、例えばパイロット信号のＳＩＮＲ（Signal
to Interference Noise Ratio：信号対干渉雑音比）等を測定すること無線回線品質を測定する。
【００６３】
無線回線品質情報作成部２０５は、算出部２０４から出力された無線回線品質に基づいて、無線回線品質情報を作成する。無線回線品質情報は、例えばＣＱＩ（Channel
Quality Indicator）などである。作成した無線回線品質情報は符号化・変調部２１３に出力される。
【００６４】
位相差情報抽出部２０６は、復調・復号部２０３から出力された受信信号のうちセル情報と位相差情報とを抽出し、抽出したセル情報等をスクランブリングコード作成部２０７に出力する。
【００６５】
スクランブリングコード作成部２０７は、マスタ基地局１００‐１から送信されたセル情報に基づいて、マスタ基地局１００‐１で作成されるスクランブリングコード（例えば、第１のスクランブリングコード）を作成する。また、スクランブリングコード作成部２０７は、マスタ基地局１００‐１から送信されたセル情報と位相差情報とに基づいて、スレーブ基地局１００‐２で作成されるスクランブリングコード（例えば、第２のスクランブリングコード）を作成する。スクランブリングコード作成部２０７は、作成した２つのスクランブリングコードを復調・復号部２０３に出力する。
【００６６】
受信制御信号抽出部２０８は、受信信号のうち制御信号を抽出し、端末設定制御部２０９に出力する。
【００６７】
端末設定制御部２０９は、制御信号に含まれるスケジューリング情報に従って、基地局１０００‐１，１００‐２からの受信データ等を復調、復号等できるように、受信無線部２０２と復調・復号部２０３を制御する。
【００６８】
受信電力測定部２１０は、受信信号のうち、例えば、パイロット信号の受信電力を測定し、測定結果を回線接続制御部２１１とＣｏＭＰ通信制御部２２０に出力する。
【００６９】
回線接続制御部２１１は、受信電力に基づいて基地局１００‐１，１００‐２との回線を接続するか否かを決定する。回線接続制御部２１１は、例えば、受信電力が閾値以上のとき回線接続することを決定し、そうでないとき回線を接続しないことを決定する。回線接続制御部２１１は、回線接続することを決定したとき、指示信号を接続要求信号作成部２１２に出力する。
【００７０】
接続要求信号作成部２１２は、指示信号に基づいて、接続要求信号を作成し、符号化・変調部２１３に出力する。
【００７１】
ＣｏＭＰ通信制御部２２０は、受信電力が例えば閾値以上のとき、ＣｏＭＰ通信要求信号の作成指示をＣｏＭＰ通信要求信号作成部２２１に出力する。
【００７２】
ＣｏＭＰ通信要求信号作成部２２１は、ＣｏＭＰ通信制御部２２０からの指示に基づいてＣｏＭＰ通信要求信号を作成し、符号化・変調部２１３に出力する。
【００７３】
符号化・変調部２１３は、無線回線品質情報、接続要求信号、ＣｏＭＰ通信要求信号等に対して、符号化及び変調処理を施す。
【００７４】
送信無線部２１４は、符号化等された無線回線品質情報等に対して送信電力の制御等を行い、無線信号としてアンテナ２０１に出力する。無線回線品質情報等は無線信号として基地局１００‐１，１００‐２に送信される。
【００７５】
＜スクランブリングコード作成部の構成例＞       
次に、スクランブリングコード作成部１１２，２０７の構成例について説明する。
【００７６】
図６は長さ「３１」のゴールド符号（またはスクランブリングコード）を生成するゴールド符号生成器の構成例を示す図である。ゴールド符号生成器は、第１及び第２のシフトレジスタ１１２‐１，１１２‐３と、第１〜第３の排他的論理和回路１１２‐２，１１２‐４，１１２‐５とを備える。図６に示すゴールド符号生成器は、前述の数２〜数５で示される生成多項式に基づいた構成例である。
【００７７】
数２〜数５に示す生成多項式により生成されるスクランブリングコードに対して１ビットシフトしたスクランブリングコードを生成するための生成多項式は、以下の式で示すことができる。
【００７８】
【数１０】
0005445585.tif 000011
【００７９】
また、２ビットシフトしたスクランブリングコードを生成するための生成多項式は、
【００８０】
【数１１】
0005445585.tif 000012
【００８１】
となる。
【００８２】
図７は、図６に対して１ビットまたは２ビットシフトさせた（１ビットまたは２ビット位相差のある）スクランブリングコードを生成するためのゴールド符号生成器の構成例を示す図である。図７に示すゴールド符号生成器は、さらに第４及び第５の排他的論理和回路１１２‐６，１１２‐７を備える。
【００８３】
第４の排他的論理和回路１１２‐６は、点線で示すように、第１のシフトレジスタ１１２‐１のうちＬＳＢに対応するレジスタから１ビットシフトしたレジスタからの出力と、第２のシフトレジスタ１１２‐３のうちＬＳＢに対応するレジスタから１ビットシフトしたレジスタからの出力とに対して、排他的論理和を演算する。第４の排他的論理和回路１１２‐６は、第３の排他的論理和回路１１２‐５の出力に対して１ビットシフトした（１ビット位相差のある）スクランブリングコードを出力する。
【００８４】
第５の排他的論理和回路１１２‐７は、１点鎖線で示すように、第１のシフトレジスタ１１２‐１のＬＳＢから２ビットシフトしたレジスタからの出力と、第２のシフトレジスタ１１２‐３のうちＬＳＢから２ビットシフトしたレジスタからの出力とに対して、排他的論理和を演算する。第５の排他的論理和回路１１２‐７は、第３の排他的論理和回路１１２‐５の出力に対して２ビットシフトした（２ビット位相差のある）スクランブリングコードを出力する。
【００８５】
さらに、図６のスクランブリングコードに対して３２ビットシフトさせたスクランブリングコードの生成多項式は、以下のようになる。
【００８６】
【数１２】
0005445585.tif 000013
【００８７】
【数１３】
0005445585.tif 000014
【００８８】
【数１４】
0005445585.tif 000015
【００８９】
さらに、３３ビットシフトさせたスクランブリングコードの生成多項式は、
【００９０】
【数１５】
0005445585.tif 000016
【００９１】
【数１６】
0005445585.tif 000017
【００９２】
【数１７】
0005445585.tif 000018
【００９３】
となる。
【００９４】
図８は３２ビット及び３３ビットシフトしたスクランブリングコードを生成するゴールド符号生成器の構成例を示す図である。ゴールド符号生成器は、さらに、第６〜９の排他的論理和回路１１２‐８〜１１２‐１１と、第１０〜１１の排他的論理和回路１１２‐１２〜１１２‐１３とを備える。
【００９５】
第６の排他的論理和回路１１２‐８は、点線で示すように、第１のシフトレジスタ１１２‐１のうちＬＳＢから１ビットシフトしたレジスタと４ビットシフトしたレジスタの各出力に対して、排他的論理和を演算し、演算結果を第７の排他的論理和回路１１２‐９に出力する。
【００９６】
第１０の排他的論理和回路１１２‐１２は、点線で示すように、第２のシフトレジスタ１１２‐３のうちＬＳＢから１ビット〜４ビットシフトした各レジスタからの出力に対して排他的論理和を演算し、その出力を第７の排他的論理和回路１１２‐９に出力する。
【００９７】
第７の排他的論理和回路１１２‐９は、第６及び第１０の排他的論理和回路１１２‐８，１１２‐１２の出力に対して排他的論理和を演算し、第３の排他的論理和回路１１２‐５の出力に対して３２ビットシフトした（３２ビット位相差のある）スクランブリングコードを出力する。
【００９８】
３３ビットシフトしたスクランブリングコードは、第９の排他的論理和回路１１２‐１１の出力段から出力されるが、第８及び第１１の排他的論理和回路１１２‐１０，１１２‐１３はさらに１ビットシフトした各レジスタからの出力に対する排他的論理和を演算する。
【００９９】
一般に、ｍ次の生成多項式から生成される系列において特定の位相の値をα（０）とすると、α（０）からｎビット位相のずれた系列の値α（ｎ）は、
【０１００】
【数１８】
0005445585.tif 000019
【０１０１】
で表すことができる。ここで、αｎを（ｍ−１）次以下の次数をもったαのベキの和に展開すると、
【０１０２】
【数１９】
0005445585.tif 000020
【０１０３】
となる。なお、ｃｉ（ｉ＝０〜ｍ−１）は位相差ｎより定まる「１」または「０」の値であり、タップ係数列である。
【０１０４】
図９はスクランブリングコード作成部１１２，２０７の構成例を示す図である。さらに、初期値設定部１１２‐１４と、第１及び第２のスイッチ群１１２‐１５，１１２‐１６と、第１２及び第１３の排他的論理和回路１１２‐１７，１１２‐１８と、第１４の排他的論理和回路１１２‐１９とを備える。  
【０１０５】
初期値設定部１１２‐１４は、セル情報（セル番号、端末番号、スロット番号）と位相差情報とに基づいて、第１及び第２のスイッチ群１１２‐１５，１１８‐１６の各スイッチ（または各タップ）のオン、オフを制御する。初期値設定部１１２‐１４の出力は、例えばタップ係数列ｃｉに対応する。初期値設定部１１２‐１４に入力される初期値は、例えば、セル情報と位相差情報である。
【０１０６】
第１２の排他的論理和回路１１２‐１７は、第１のスイッチ群１１２‐１５の各出力に対して排他的論理和を演算し、演算結果を第１３の排他的論理和回路１１２‐１８に出力する。
【０１０７】
第１４の排他的論理和回路１１２‐１９は、第２のスイッチ群１１２‐１６の各出力に対して排他的論理和を演算し、演算結果を第１３の排他的論理和回路１１２‐１８に出力する。
【０１０８】
第１３の排他的論理和回路１１２‐１８は、第１２及び第１４の排他的論理和回路１１２‐１７，１１２‐１９の各出力の排他的論理和を演算し、第３の排他的論理和回路１１２‐５の出力に対して、任意の位相差のスクランブリングコードを出力する。
【０１０９】
このように、スクランブリングコード作成部１１２，２０７は、２つの線形シフトレジスタ１１２‐１，１１２‐３の各段から適切な成分を排他的論理和により合成することで、位相差のあるスクランブリングコード（または複数のスクランブリングコード）を出力できる。
【０１１０】
例えば、初期値設定部１１２‐１４がマスタ基地局１００‐１のセル情報に基づいて、第１及び第２のスイッチ群１１２‐１５，１１２‐１６を制御することで、第３の排他的論理和回路１１２‐５はマスタ基地局１００‐１が生成するスクランブルコード（第１のスクランブリングコード）を出力する。また、初期値設定部１１２‐１４が、スレーブ基地局１００‐２のセル情報と位相差情報とに基づいて第１及び第２のスイッチ群１１２‐１５，１１２‐１６を制御する。この場合、第１３の排他的論理和回路１１２‐１８は、スレーブ基地局１００‐２が生成するスクランブルコード（例えば、第２のスクランブリングコード）を出力する。
【０１１１】
＜下り方向の動作例＞
次に第１の実施例における動作例について説明する。図１０及び図１１は動作例を示すフローチャートである。なお、端末２００は、マスタ基地局１００‐１とスレーブ基地局１００‐２の双方に通信接続可能な領域に位置しているものとする。
【０１１２】
最初に、マスタ基地局１００‐１はセル情報等を端末２００に報知する（Ｓ１０）。例えば、セル情報信号作成部１０６がセル情報を作成する。
【０１１３】
次いで、マスタ基地局１００‐１は、パイロット信号を送信する（Ｓ１１）。
【０１１４】
次いで、端末２００は受信したパイロット信号等に基づいて通信対象となるセルを選択し（Ｓ１２）、選択したセルとの間で回線を設定する（Ｓ１３）。例えば、端末２００の受信電力測定部２１０がパイロット信号の受信電力を測定し、回線接続制御部２１１が回線の接続を判定することでセル（例えば、マスタ基地局１００‐１）を選択する。
【０１１５】
次いで、端末２００はマスタ基地局１００‐１との無線回線の品質（例えば、ＣＱＩ）を測定し（Ｓ１４）、無線回線品質情報をマスタ基地局１００‐１に送信する（Ｓ１５）。例えば、端末２００の算出部２０４がパイロット信号に基づいて無線回線品質を測定する。
【０１１６】
次いで、マスタ基地局１００‐１は、無線回線品質情報に基づいてスケジューリングを行う（Ｓ１６）。例えば、マスタ基地局１００‐１のスケジューラ１１０が無線回線品質情報抽出部１０９で抽出した無線回線品質情報に基づいてスケジューリングを行う。
【０１１７】
次いで、マスタ基地局１００‐１は送信信号処理を行う（Ｓ１７）。例えば、符号化・変調部１１４は、送信データバッファ１１３に記憶された送信データを読み出し、スケジューリング情報に基づいて符号化等の処理を行う。
【０１１８】
次いで、マスタ基地局１００‐１は、制御信号と送信データとを端末２００に送信する（Ｓ１８，Ｓ１９）。
【０１１９】
端末２００は、制御信号と送信データとを受信すると受信信号処理を行う（Ｓ２０）。例えば、端末設定制御部２０９は、受信した制御信号に含まれるスケジューリング情報に従って復調、復号等が行われるように受信無線部２０２と復調・復号部２０３を制御する。
【０１２０】
次いで、端末２００は、スレーブ基地局１００‐２から報知されたセル情報等とパイロット信号とを受信する（Ｓ２１，Ｓ２２）。そして、端末２００は接続基地局としてスレーブ基地局１００‐２を選択し（Ｓ２３）、スレーブ基地局１００‐２との間で回線を設定する（Ｓ２４）。
【０１２１】
次いで、端末２００と基地局１００‐１，１００‐２との間でＣｏＭＰ送信のための処理が行われる。まず、端末２００はマスタ基地局１００‐１とスレーブ基地局１００‐２とからパイロット信号をそれぞれ受信し（Ｓ２５，Ｓ２６）、各無線回線の回線品質を測定する（Ｓ２７）。なお、このときマスタ基地局１００‐１とスレーブ基地局１００‐２とからのパイロット信号の識別を容易にするためにマスタ基地局１００‐１のセル番号及びスレーブ基地局１００‐２の本来のセル番号を基に作成した、異なるパイロット信号としてもよい。
【０１２２】
次いで、端末２００は、測定した各無線回線品質をそれぞれスレーブ基地局１００‐２とマスタ基地局１００‐１に送信する（Ｓ２８，Ｓ３０）。
【０１２３】
スレーブ基地局１００‐２は、端末２００から送信された無線回線品質情報をマスタ基地局１００‐１に送信する（Ｓ２９）。例えば、スレーブ基地局１００‐２の無線回線品質情報抽出部１０９は、抽出した端末２００との間の無線回線品質をマスタ基地局１００‐１に送信する。
【０１２４】
次いで、マスタ基地局１００‐１は、ＣｏＭＰ送信が可能か否かの判定を行う（Ｓ３１）。例えば、マスタ基地局１００‐１の制御部１０８は、スレーブ基地局１００‐２からの無線回線品質と、ＣｏＭＰ通信要求信号抽出部１０７で抽出された無線回線品質とが、ともに閾値以上のときＣｏＭＰ通信可能と判定する。マスタ基地局１００‐１からの無線回線品質と比較する閾値と、スレーブ基地局１００‐２からの無線回線品質と比較する閾値は、同じでも良いし、異なっていてもよい。なお、制御部１０８はＣｏＭＰ送信可能でないと判定したとき、一連の処理を終了する。
【０１２５】
次いで、端末２００はＣｏＭＰ送信実施要求をスレーブ基地局１００‐２とマスタ基地局１００‐１に送信する（Ｓ３２，Ｓ３３）。例えば、端末２００のＣｏＭＰ通信制御部２２０が実施要求の指示を出力し、ＣｏＭＰ通信要求信号作成部２２１が当該要求信号を送信する。
【０１２６】
マスタ基地局１００‐１は、ＣｏＭＰ送信可能と判定し（Ｓ３１）、端末２００からＣｏＭＰ実施要求を受信すると（Ｓ３３）、ＣｏＭＰ実施通知をスレーブ基地局１００‐２と端末２００に送信する（Ｓ３４，Ｓ３５）。例えば、マスタ基地局１００‐１の制御部１０８は、スレーブ基地局１００‐２にＣｏＭＰ実施通知を送信する。また、例えば、制御部１０８はスケジューラ１１０にＣｏＭＰ実施通知を出力し、スケジューラ１１０から制御信号としてＣｏＭＰ実施通知が端末２００に送信される。
【０１２７】
次いで、マスタ基地局１００‐１とスレーブ基地局１００‐２は基地局間で同期をとるための処理を行う（Ｓ３６）。例えば、マスタ基地局１００‐１とスレーブ基地局１００‐２との制御部１０８とが互いに信号の送受信を行い位相同期させることで同期処理が行われる。
【０１２８】
次いで、マスタ基地局１００‐１はＣｏＭＰ送信のためのスケジューリングを行う（Ｓ３７）。例えば、スケジューラ１１０は制御部１０８からＣｏＭＰ実施通知を受け取ると、無線回線品質（Ｓ２９，Ｓ３０）等に基づいてスケジューリングを行う。作成されるスケジューリング情報にはＣｏＭＰ送信に用いられる使用周波数とプリコーディング情報とが含まれる。
【０１２９】
次いで、マスタ基地局１００‐１は、セル情報と位相差情報とをスレーブ基地局１００‐２に送信する（Ｓ３８）。例えば、マスタ基地局１００‐１のセル情報信号作成部１０６は、自局のセル情報と、予め保持等した位相差情報を送信する。位相差情報は、無線回線制御部１０５に保持されてもよい。
【０１３０】
次いで、マスタ基地局１００‐１は、位相差情報を端末２００に送信する（Ｓ３９）。例えば、マスタ基地局１００‐１のセル情報信号作成部１０６は、作成した位相差情報を符号化・変調部１１４等を介して送信する。
【０１３１】
次いで、マスタ基地局１００‐１は、送信データ（例えば送信データ２）をスレーブ基地局１００‐２に転送する（Ｓ４０）。例えば、マスタ基地局１００‐１のスケジューラ１１０は、送信データバッファ１１３に記憶された送信データのうち一部（例えば、送信データ２）を読み出してスレーブ基地局１００‐２に送信する。スレーブ基地局１００‐２の送信データバッファ１１３はマスタ基地局１００‐１から送信された送信データを記憶する。送信データ１と送信データ２は、例えばセル毎に異なる送信データである。
【０１３２】
次いで、マスタ基地局１００‐１は送信制御情報をスレーブ基地局１００‐２に通知する（Ｓ４１）。例えば、スケジューラ１１０は、プリコーディング情報等を含むスケジューリング情報（Ｓ３７）を送信制御情報としてスレーブ基地局１００‐２に送信する。
【０１３３】
次いで、マスタ基地局１００‐１とスレーブ基地局１００‐２は送信信号処理を行う（Ｓ４１，Ｓ４２）。例えば、マスタ基地局１００‐１のスクランブリングコード作成部１１２は、自局のセル情報に基づいてスクランブリングコード（例えば、第１のスクランブリングコード）を作成する。マスタ基地局１００‐１の符号化・変調部１１４は当該スクランブリングコードを用いて送信データ（例えば、送信データ１）に対してスクランブリング処理を行う。また、スレーブ基地局１００‐２のスクランブリングコード作成部１１２は、マスタ基地局１００‐１から送信されたセル情報と位相差情報とに基づいて、スクランブリングコード（例えば、第２のスクランブリングコード）を作成する。スレーブ基地局１００‐２の符号化・変調部１１４は作成したスクランブリングコードを用いて送信データ２に対してスクランブリング処理を行う。
【０１３４】
次いで、マスタ基地局１００‐１は、制御信号と送信データ（例えば、送信データ１）とを端末２００に送信する（Ｓ４４，Ｓ４５）。制御信号は、ＣｏＭＰ送信で使用する符号化率等以外にも、使用周波数とプリコーディング情報も含み、セル情報信号作成部１０６で作成されたセル情報を含んでもよい。
【０１３５】
次いで、スレーブ基地局１００‐２は、マスタ基地局１００‐１が送信した送信データとは異なる送信データ（例えば、送信データ２）を端末２００に送信する（Ｓ４６）。例えば、送信データ１と送信データ２は、プリコーディング情報に従い、重み付けられて送信される。
【０１３６】
次いで、端末２００は、マスタ基地局１００‐１とスレーブ基地局１００‐２とから送信された送信データに対して受信信号処理を行う（Ｓ４７）。例えば、端末２００の端末設定制御部２０９は、制御信号（Ｓ４３）に含まれるスケジューリング情報に従って、受信無線部２０２と復調・復号部２０３を制御する。このとき、端末２００のスクランブリングコード作成部２０７は、例えば、セル情報（Ｓ１０またＳ４３）に基づいてスクランブリングコード（例えば、第１のスクランブリングコード）を作成し、復調・復号部２０３に出力する。また、スクランブリングコード作成部２０７はセル情報と位相差情報（Ｓ３９）とに基づいてスクランブリングコード（例えば、第２のスクランブリングコード）を作成し、復調・復号部２０３に出力する。復調・復号部２０３は、例えば、第１のスクランブリングコードを用いてマスタ基地局１００‐１から送信された送信データ（例えば、送信データ１）に対してデスクランブリング処理を行う。また、復調・復号部２０３は、例えば、第２のスクランブリングコードを用いてスレーブ基地局１００‐２から送信された送信データ（例えば、送信データ２）に対してデスクランブリング処理を行う。
【０１３７】
このように本第１の実施例は、ＣｏＭＰ送信を行うときに、マスタ基地局１００‐１はマスタ基地局１００‐１のセル情報を元にスクランブリングコードを作成すると共に、スレーブ基地局１００‐２はマスタ基地局１００‐１から受信したセル情報に基づくスクランブリングコードを基準に、位相差情報分シフトしたスクランブリングコードを作成する。端末２００にもマスタ基地局１００‐１のセル情報と位相差情報が通知され、セル情報を元に生成した第一のスクランブリングコードと、それを基準に位相差情報分シフトした第二のスクランブリングコードを作成し、デスクランブル処理を行う。これにより、端末２００において基地局１００‐１のセル情報と基地局１００‐２のセル情報を元に独立に２系統のスクランブリングコードを作成してデスクランブリング処理を行う場合と比較して、端末２００の処理が軽減される。さらに、端末２００の消費電力も削減できる。
【０１３８】
また、マスタ基地局１００‐１はプリコーディング情報をスレーブ基地局１００‐２に送信し（Ｓ４４）、２つの基地局１００‐１，１００‐２はプリコーディング情報に基づいて異なるデータを端末２００に送信している。従って、異なるデータが２つの基地局１００‐１，１００‐２から送信されても、端末２００は制御信号に含まれるプリコーディング情報に基づいて受信処理（Ｓ４７）を行うことができるため、２つの異なるデータの混信を防ぐこともできる。
【０１３９】
＜第２の実施例＞
次に第２の実施例を説明する。第２の実施例は下り方向の他の例である。図１２は第２の実施例における無線通信システム１０の構成例を示す図である。スレーブ基地局１００‐２はセル情報をマスタ基地局１００‐１に送信する。マスタ基地局１００‐１は、スレーブ基地局１００‐２のセル情報と自局のセル情報とから、各基地局１００‐１，１００‐２で使用するスクランブリングコードの位相差を算出する。
【０１４０】
＜マスタ基地局の構成例＞
図１３は、第２の実施例におけるマスタ基地局１００‐１の構成例を示す図である。
【０１４１】
セル情報信号作成部１０６は、ＣｏＭＰ実施基地局（例えば、スレーブ基地局１００‐２）からセル情報を受信する。また、セル情報信号作成部１０６は、無線回線制御部１０５から出力されたセル番号及び端末番号と、スケジューラ１１０から出力されたスロット番号とから、自局のセル情報を作成する。そして、セル情報信号作成部１０６は、マスタ基地局１００‐１とスレーブ基地局１００‐２の２つのセル情報に基づいて、各基地局１００‐１，１００‐２で作成されるスクランブリングコードの位相差を演算する。演算の詳細は後述する。セル情報信号作成部１０６は、位相差情報を、自局のセル情報とともに符号化・変調部１１４に出力する。
【０１４２】
スクランブリングコード作成部１１２は、自局のセル情報に基づいてスクランブリングコード（例えば、第１のスクランブリングコード）を作成する。
【０１４３】
＜スレーブ基地局の構成例＞
図１４は、第２の実施例におけるスレーブ基地局１００‐２の構成例を示す図である。
【０１４４】
無線回線制御部１０５は、例えば制御部１０８からＣｏＭＰ実施通知を入力すると、予め保持等したセル番号、端末番号、及びスロット番号をセル情報として、マスタ基地局１００‐１に送信する。また、無線回線制御部１０５は、セル情報をスクランブリングコード作成部１１２に出力する。
【０１４５】
スクランブリングコード作成部１１２は、セル情報に基づいて、自局のスレーブ基地局１００‐２のスクランブリングコードを作成し、符号化・変調部１１４に出力する。
【０１４６】
なお、端末２００の構成例は第１の実施例（図５）と同様である。
【０１４７】
＜位相差情報の算出＞
次に、位相差情報の演算について説明する。例えば、マスタ基地局１００‐１のセル情報信号作成部１０６が演算する。演算は、例えば以下のようにして行われる。
【０１４８】
すなわち、マスタ基地局１００‐１は、自局のセル情報から生成されるスクランブリングコードの初期値をｎ行１列の列ベクトル（ｘ１（０）  ｘ２（０）  …  ｘｎ（０））として求める。マスタ基地局１００‐１は、この初期値から１ビットシフトしたスクランブリングコードを列ベクトル（ｘ１（１）  ｘ２（１）  …  ｘｎ（１））、２ビットシフトしたスクランブリングコードを列ベクトル（ｘ１（２）  ｘ２（２）…  ｘｎ（２））として夫々求める。さらに、マスタ基地局１００‐１は、ｎビットシフトした場合のスクランブリングコードを列ベクトル（ｘ１（ｎ）  ｘ２（ｎ）  …  ｘｎ（ｎ））として求める。マスタ基地局１００‐１は、ｎ組の列ベクトルからｎ行ｎ列の行列Ｘを求める。行列Ｘは
【０１４９】
【数２０】
0005445585.tif 000021
【０１５０】
となる。
【０１５１】
同様にして、マスタ基地局１００‐１は、スレーブ基地局１００‐２のセル情報から生成されるスクランブリングコードの初期値を列ベクトル（ｙ１（０）  ｙ２（０）  …  ｙｎ（０））として求め、ｎ組の列ベクトルからなるｎ行ｎ列の行列Ｙを求める。行例Ｙは、
【０１５２】
【数２１】
0005445585.tif 000022
【０１５３】
となる。ここで、行列Ｙは行列Ｘを一定位相だけ進めたスクランブルコードとする。マスタ基地局１００‐１はその位相関係を一意に定める行列Ａを求めるために、以下の演算を行う。
【０１５４】
【数２２】
0005445585.tif 000023
【０１５５】
行列Ａは２つのスクランブリングコードの位相差を定める行列であり、マスタ基地局１００‐１は、数２２の演算を行うことで位相差を演算する。セル情報信号作成部１０６は、例えば、スクランブリングコードのすべての組み合わせ、さらに演算結果等を予めテーブルとして保持（または記憶）する。そして、セル情報信号作成部１０６は、任意のセル情報に対して、２つのスクランブリングコードの位相差を与えるタップ係数（位相差情報）をテーブルから取り出して出力するようにしてもよい。セル情報信号作成部１０６は、例えば当該テーブルを保持する。
【０１５６】
＜下り方向の動作例＞
次に第２の実施例における動作例について説明する。図１０及び図１５は動作例を示すフローチャートである。Ｓ１０〜Ｓ３７は第１の実施例と同様である。
【０１５７】
次いで、スレーブ基地局１００‐２は自局のセル情報をマスタ基地局１００‐１に通知する（図１５のＳ５０）。例えば、スレーブ基地局１００‐２の無線回線制御部１０５が通知する。
【０１５８】
次いで、マスタ基地局１００‐１は位相差情報を算出する（Ｓ５１）。例えば、マスタ基地局１００‐１のセル情報信号作成部１０６がテーブル等を用いて算出する。
【０１５９】
次いで、マスタ基地局１００‐１は、算出した位相差情報を端末２００に通知する（Ｓ５２）。例えば、マスタ基地局１００‐１のセル情報信号作成部１０６は、算出した位相差情報を符号化・変調部１１４等を介して端末２００に通知する。
【０１６０】
次いで、マスタ基地局１００‐１は、送信データ（例えば、送信データ２）と送信制御情報とをスレーブ基地局１００‐２に送信し（Ｓ４０，Ｓ４１）、各基地局１００‐１，１００‐２は送信信号処理を行う（Ｓ４２，Ｓ４３）。例えば、各基地局１００‐１，１００‐２は各々自局のセル情報に基づいてスクランブリングコードを作成し、スクランブリング処理を行う。
【０１６１】
次いで、マスタ基地局１００‐１は制御信号と送信データ（例えば、送信データ１）とを端末２００に送信する（Ｓ４４，Ｓ４５）。
【０１６２】
次いで、スレーブ基地局１００‐２は送信データ（例えば、送信データ２）を端末２００に送信する（Ｓ４６）。
【０１６３】
次いで、端末２００は、ＣｏＭＰ送信により送信された各々異なる送信データを各基地局１００‐１，１００‐２から受信し、受信信号処理を行う（Ｓ４７）。例えば、端末２００の位相差情報抽出部２０６は位相差情報を抽出しスクランブリングコード作成部２０７に出力する。スクランブリングコード作成部２０７は、マスタ基地局１００‐１のセル情報（Ｓ１０など）からスクランブリングコード（例えば、第１のスクランブリングコード）を作成し、復調・復号部２０３に出力する。また、スクランブリングコード作成部２０７は、マスタ基地局１００‐１のセル情報（Ｓ１０など）と位相差情報（Ｓ５２）とに基づいて、スクランブリングコード（例えば、第２のスクランブリングコード）を作成し、復調・復号部２０３に出力する。復調・復号部２０３は、第１のスクランブリングコードを用いて、マスタ基地局１００‐１から送信された送信データ（例えば、送信データ１）に対してデスクランブリング処理を行う。また、復調・復号部２０３は、第２のスクランブリングコードを用いて、スレーブ基地局１００‐２から送信された送信データ（例えば、送信データ２）に対してデスクランブリング処理を行う。
【０１６４】
このように本第２の実施例においても、ＣｏＭＰ送信の際に、マスタ基地局１００‐１はスレーブ基地局１００‐２で作成されるスクランブリングコードの位相差を算出し、端末２００に送信する。従って、端末２００は予め位相差のあるスクランブリングコードを作成できる。よって、本無線通信システム１０は、端末２００において基地局１００‐１のセル情報と基地局１００‐２のセル情報を元に独立に２系統のスクランブリングコードを作成してデスクランブリング処理を行う場合と比較して、端末２００の処理を軽減でき、消費電力を削減できる。
【０１６５】
＜第３の実施例＞
次に第３の実施例について説明する。第３の実施例は、端末２００から基地局１００‐１，１００‐２にデータが送信される上り方向の例である。
【０１６６】
図１６は第３の実施例における無線通信システム１０の構成例を示す図である。マスタ基地局１００‐１は制御信号を端末２００に送信する。端末２００は、受信した制御信号に基づいて、異なる送信データ（ＵＳＣＨ）をマスタ基地局１００‐１とスレーブ基地局１００‐２に送信する。
【０１６７】
＜マスタ基地局の構成例＞
次に第３の実施例におけるマスタ基地局１００‐１の構成例を説明する。図１７はマスタ基地局１００‐１の構成例を示す図である。
【０１６８】
マスタ基地局１００‐１は、無線回線品質測定及び算出部（以下、算出部）１２１をさらに備える。算出部１２１は、端末２００から送信されたパイロット信号等に基づいて、端末２００との間の無線回線品質を測定し、無線回線品質（例えば、ＣＱＩ）を測定する。
【０１６９】
また、マスタ基地局１００‐１のスケジューラ１１０は、上り方向のスケジューリングを行うため、作成したスケジューリング情報に従い復調・復号部１０３と受信無線部１０２とを制御する。
【０１７０】
さらに、スクランブリングコード作成部１１２は、端末２００から送信された送信データ等に対してデスクランブリング処理を行うため、作成したスクランブリングコードを復調・復号部１０３に出力する。
【０１７１】
＜スレーブ基地局の構成例＞
次に第３の実施例におけるスレーブ基地局１００‐２の構成例を説明する。図１８はスレーブ基地局１００‐２の構成例を示す図である。
【０１７２】
スレーブ基地局１００‐２もさらに算出部１２１を備える。
【０１７３】
また、スレーブ基地局１００‐２のスケジューラ１１０は、上り方向のスケジューリングを行うため、復調・復号部１０３と受信無線部１０２とをスケジューリング情報に従い制御する。
【０１７４】
さらに、スクランブリングコード作成部１１２も、端末２００から送信された送信データ等に対してデスクランブリング処理を行うため、作成したスクランブリングコードを復調・復号部１０３に出力する。
【０１７５】
＜端末の構成例＞
次に第３の実施例における端末２００の構成例を説明する。図１９は端末２００の構成例を示す図である。
【０１７６】
端末２００は、さらにセル情報抽出部２２５を備える。セル情報抽出部２２５は、例えば、基地局１００‐１，１００‐２から送信されたセル情報を抽出し、スクランブリングコード作成部２０７に出力する。
【０１７７】
スクランブリングコード作成部２０７は、例えばマスタ基地局１００‐１から送信されたセル情報（セル番号、端末番号、及びスロット番号を含む情報）に基づいてスクランブリングコードを作成する。スクランブリングコード作成部２０７は、作成したスクランブリングコード（例えば、第１のスクランブリングコード）を符号化・変調部２１３に出力する。
【０１７８】
端末設定制御部２０９は、基地局１００‐１，１００‐２に送信する送信データ等に対し、制御信号に従って符号化等の処理が行われるように、符号化・変調部２１３を制御する。また、端末設定制御部２０９は、例えば、異なる送信データが重み付けられて基地局１００‐１，１００‐２に送信されるよう、制御信号に含まれるプリコーディング情報に従い、送信無線部２１４を制御する。
【０１７９】
＜スクランブリングコード作成部の構成例＞
各基地局１００‐１，１００‐２と端末２００のスクランブリングコード作成部１１２，２０７は第１の実施例（例えば、図９）と同様である。
【０１８０】
＜上り方向の動作例＞
次に第３の実施例における動作例について説明する。図２０及び図２１は動作例を示すフローチャートである。
【０１８１】
マスタ基地局１００‐１と端末２００との間で回線設定後（Ｓ１０〜Ｓ１３）、端末２００はパイロット信号をマスタ基地局１００‐１に送信する（Ｓ６０）。例えば、端末２００の送信無線部２１４がパイロット信号を生成して送信する。マスタ基地局１００‐１が送信するセル情報（Ｓ１０）には、セル情報信号作成部１０６で作成されたセル情報が含まれてもよい。
【０１８２】
次いで、マスタ基地局１００‐１はパイロット信号に基づいて上り方向の無線回線品質（例えば、ＣＱＩ）を測定する（Ｓ６１）。例えば、マスタ基地局１００‐１の算出部１２１で測定等が行われる。
【０１８３】
次いで、マスタ基地局１００‐１は、測定した無線回線品質に基づいて、上り方向のスケジューリングを行う（Ｓ１６）。例えば、スケジューラ１１０は、算出部１２１から出力された無線回線品質に基づいてスケジューリングを行う。
【０１８４】
次いで、マスタ基地局１００‐１は上り方向のスケジューリング情報を含む制御信号を送信し（Ｓ１８）、端末２００は当該制御信号に基づいて送信信号処理を行う（Ｓ６２）。例えば、マスタ基地局１００‐１の制御信号作成部１１１はスケジューリング情報を含む制御信号を作成し、符号化・変調部１１４等を介して送信する。また、端末２００の符号化・変調部２１３は、受信した制御信号に含まれるスケジューリング情報に従って、送信データを符号化及び変調処理を行う。
【０１８５】
次いで、端末２００は送信データをマスタ基地局１００‐１に送信する（Ｓ６３）。
【０１８６】
次いで、端末２００はスレーブ基地局１００‐２との間で回線設定等の処理を行う（Ｓ２１〜Ｓ２４）。そして、端末２００と基地局１００‐１，１００‐２との間でＣｏＭＰ送信のための処理が行われる。
【０１８７】
まず、端末２００は、ＣｏＭＰ送信実施要求を各基地局１００‐１，１００‐２に送信する（Ｓ３２〜Ｓ３３）。
【０１８８】
次いで、端末２００はパイロット信号を各基地局１００‐１，１００‐２に送信する（Ｓ６４，Ｓ６５）。
【０１８９】
次いで、各基地局１００‐１，１００‐２は各々無線回線品質を測定する（Ｓ６６，Ｓ６７）。例えば、各基地局１００‐１，１００‐２の算出部１２１が無線回線品質を測定する。
【０１９０】
次いで、スレーブ基地局１００‐２は、測定した無線回線品質をマスタ基地局１００‐１に送信する（Ｓ６８）。例えば、スレーブ基地局１００‐２の算出部１２１は、測定した無線回線品質をマスタ基地局１００‐１に送信する。
【０１９１】
次いで、マスタ基地局１００‐１は、２つの無線回線品質に基づいてＣｏＭＰ送信の判定を行う（Ｓ３１）。例えば、制御部１０８が２つの無線回線品質がともに閾値以上のときＣｏＭＰ送信を行うと判定する。なお、マスタ基地局１００‐１で測定算出された無線回線品質と比較する閾値と、スレーブ基地局１００‐２で測定算出された無線回線品質と比較する閾値は、同じでも良いし、異なっていてもよい。
【０１９２】
マスタ基地局１００‐１は、ＣｏＭＰ送信を実施する場合、ＣｏＭＰ送信実施通知をスレーブ基地局１００‐２と端末２００に送信する（Ｓ３４〜Ｓ３５）。
【０１９３】
次いで、マスタ基地局１００‐１は、スレーブ基地局１００‐２との間で同期処理を行う（Ｓ３６）。
【０１９４】
次いで、スレーブ基地局１００‐２は、第２の実施例と同様に、自局のセル情報をマスタ基地局１００‐１に通知する（Ｓ５０）。
【０１９５】
次いで、マスタ基地局１００‐１は、ＣｏＭＰ送信のためのスケジューリングを行い、第２の実施例と同様に位相差情報の算出を行う（Ｓ７０）。位相差情報の算出は、例えば、第２の実施例と同様にマスタ基地局１００‐１のセル情報信号作成部１０６において行われる。
【０１９６】
次いで、マスタ基地局１００‐１は、第２の実施例と同様に、算出した位相差情報をスレーブ基地局１００‐２に送信する（Ｓ７１）。
【０１９７】
次いで、マスタ基地局１００‐１は、上り方向のスケジューリング情報（Ｓ３７）を含む送信制御情報をスレーブ基地局１００‐２に送信し（Ｓ７２）、制御信号を端末２００に送信する（Ｓ７３）。送信制御情報と制御信号には、使用周波数とプリコーディング情報も含まれる。
【０１９８】
次いで、端末２００は送信信号処理を行う（Ｓ７４）。例えば、スクランブリングコード作成部２０７は、マスタ基地局１００‐１からのセル情報（Ｓ１０、Ｓ４３など）に基づいてスクランブリングコード（例えば、第１のスクランブリングコード）を作成し、符号化・変調部２１３に出力する。符号化・変調部２１３は、異なる送信データ（例えば、送信データ１と送信データ２）に対して、例えば第１のスクランブリングコードを用いてスクランブリング処理を行う。同じスクランブリングコードを用いてスクランブリング処理された、異なる２つのデータは各基地局１００‐１，１００‐２に送信される（Ｓ７５，Ｓ７６）。また、端末２００の端末設定制御部２０９は、スケジューリング情報に従い符号化等の処理が行われるように符号化・変調部２１３を制御する。さらに、端末設定制御部２０９は、制御信号に含まれるプリコーディング情報に従って重み付けされた送信データが出力されるよう、送信無線部２１４を制御してもよい。
【０１９９】
次いで、マスタ基地局１００‐１は受信信号処理を行う（Ｓ７７）。例えば、マスタ基地局１００‐１のスクランブリングコード作成部１１２は自局のセル情報に基づいてスクランブリングコードを作成し復調・復号部１０３に出力する。復調・復号部１０３は、当該スクランブリングコードを用いて送信データ（例えば、送信データ２）に対してデスクランブリング処理等を行う。
【０２００】
また、スレーブ基地局１００‐２も受信信号処理を行う（Ｓ７８）。例えば、スレーブ基地局１００‐２のスクランブリングコード作成部１１２は、自局のセル情報と位相差情報とに基づいて、スクランブリングコードの位相がシフトされ、マスタ基地局１００‐１と同一位相のスクランブリングコードを出力する。復調・復号部１０３は、当該スクランブリングコードを用いて送信データ（例えば、送信データ１）に対してデスクランブリング処理等を行う。
【０２０１】
次いで、スレーブ基地局１００‐２は復調等された送信データ（例えば、送信データ１）をマスタ基地局１００‐１に転送する（Ｓ７９）。例えば、スレーブ基地局１００‐２の復調・復号部１０３はスケジューラ１１０の制御等により送信データ１をマスタ基地局１００‐１に送信する。
【０２０２】
このように本第３の実施例では、端末２００はマスタ基地局１００‐１側のスクランブリングコードを用いて異なる送信データをスクランブリング処理して送信する。また、２つの基地局１００‐１，１００‐２は位相差情報を共有し、同一位相のスクランブリングコードを作成してデスクランブリング処理を行う。従って、端末２００が異なる送信データに対して異なるスクランブリングコードを作成することがないため、端末２００の処理は軽減され、消費電力も削減される。
【０２０３】
＜その他の実施例＞
次にその他の実施例について説明する。上述した各実施例は、ＣｏＭＰ送信の判定をマスタ基地局１００‐１が行うものとして説明した（図１１のＳ３１等）。例えば、かかる判定を端末２００が行うようにしてもよい。例えば、端末２００のＣｏＭＰ通信制御部２２０は、測定した無線通信品質に基づいて（図１０のＳ２７）、ともに閾値以上か否かにより判定できる。この場合、測定した無線通信品質は基地局１００‐１，１００‐２に送信されないため、さらにマスタ基地局１００‐１の処理軽減を図ることができる。
【０２０４】
また、上述した各実施例は、ＣｏＭＰ送信の実施要求を端末２００が行うものとして説明した。例えば、マスタ基地局１００‐１が実施要求を行うようにしてもよい。下り方向の場合、例えばマスタ基地局１００‐１がＣｏＭＰ送信を行うと判定したとき（Ｓ３１）、ＣｏＭＰ実施要求を端末２００とスレーブ基地局１００‐２に送信することもできる。その後、マスタ基地局１００‐１は実施通知（Ｓ３４、Ｓ３５）を通知することで実施できる。また、上り方向についても、マスタ基地局１００‐１は、ＣｏＭＰ送信判定後（Ｓ３１）、ＣｏＭＰ送信要求を端末２００等に送信し、ＣｏＭＰ実施通知を通知（Ｓ３４〜Ｓ３５）することで実施できる。かかる場合の端末２００の構成例を図２２（下り方向の場合）、図２３（上り方向の場合）に示す。端末２００は、上述した実施例と比較してＣｏＭＰ通信制御部２２０とＣｏＭＰ通信要求信号作成部２２１がないため、さらに消費電力の削減を図ることができる。
【０２０５】
さらに、上述した各実施例は、マスタ基地局１００‐１とスレーブ基地局１００‐２の２つの基地局１００から送信データを送信する例について説明した。例えば、複数のセル（またはセクタ）を有する１つの基地局１００が送信データを送信するようにしてもよい。図２４は基地局１００の構成例を示す図である。基地局１００は、マスタ通信部１５０‐１と、スレーブ通信部１５０‐２と、各通信部１５０‐１，１５０‐２接続されたアンテナ１０１‐１，１０１‐２とを備える。マスタ通信部１５０‐１は、マスタ基地局１００‐１内の各部１０２等を備え、スレーブ通信部１５０‐２はスレーブ基地局１００‐２内の各部１０２等を備える。例えば、マスタ通信部１５０‐１は保持した位相差情報をスレーブ通信部１５０‐２に出力し、スレーブ通信部１５０‐２は位相差情報に基づいてスクランブルコードを作成する。また、スレーブ通信部１５０‐２はセル情報をマスタ通信部１５０‐１に送信し、マスタ通信部１５０‐１は自局のセル情報とともに位相差情報を算出してスレーブ通信部１５０‐２に出力する。これにより、第１〜第３の実施例と同様に実施できる。
【０２０６】
さらに、上述した各実施例において、ＣｏＭＰ送信で使用されるセル番号、端末番号、及びスロット番号をＣｏＭＰ専用のセル番号、端末番号、及びスロット番号とすることもできる。例えば、セル情報信号作成部１０６は、セル番号、端末番号、及びスロット番号をＣｏＭＰ専用の各番号に書き換えることもできる。
【０２０７】
さらに、上述した各実施例はスクランブリングコードの位相差について説明した。例えば、端末番号の差、セル番号の差、またはスロット番号の差の少なくとも一つを用いても同様に実施できる。スクランブリングコードの初期値は端末番号等のセル情報から作成されるため、端末番号の差等は、スクランブリングコードの位相差と同様に取り扱うことができる。例えば、マスタ基地局１００‐１のセル情報信号作成部１０６（図３）は、セル番号の差等を位相差情報としてスレーブ基地局１００‐２に送信することで第１の実施例等と同様に実施することができる。
【０２０８】
さらに、上述した各実施例は、２つの基地局１００‐１，１００‐２と端末２００との間でＣｏＭＰ送信を行う例について説明した。例えば、３つ以上の基地局１００と端末２００との間でＣｏＭＰ送信を実施することもできる。この場合、３つ以上の基地局のうちいずれか一つがマスタ基地局、それ以外の基地局がスレーブ基地局とし、上述した各実施例と同様にセル情報をマスタ基地局から複数のスレーブ基地局に送信することで実施できる。
【符号の説明】
【０２０９】
１０：無線通信システム                １００：基地局装置（基地局）
１００‐１：マスタ基地局              １００‐２：スレーブ基地局
１０３：復調・復号部                  １０５：無線回線制御部
１０６：セル情報信号作成部            １０７：ＣｏＭＰ通信要求信号抽出部
１０８：ＣｏＭＰ通信実施判定及び制御部（制御部）
１０９：無線回線品質情報抽出部        １１０：スケジューラ
１１１：制御信号作成部                １１２：スクランブリングコード作成部
１１２‐１：第１のシフトレジスタ      １１２‐２：第１の排他的論理和回路
１１２‐３：第２のシフトレジスタ      １１２‐４：第２の排他的論理和回路
１１２‐５〜１１２‐１３：第３〜１１の排他的論理和回路
１１２‐１４：初期値設定部            
１１２‐１５，１１２‐１６：第１及び第２のスイッチ群
１１２‐１７〜１１２‐１９：第１２〜１４の排他的論理和回路
１１４：符号化・変調部                １５０‐１：マスタ通信部
１５０‐２：スレーブ通信部            ２００：端末装置（端末）
２０３：復調・復号部                  ２０４：無線回線品質測定及び算出部（算出部）
２０５：無線回線品質情報作成部        
２０６：セル情報及び位相差情報抽出部（位相差情報抽出部）
２０７：スクランブリングコード作成部  ２０８：受信制御信号抽出部
２０９：端末設定制御部                ２１０：受信電力測定部
２１３：符号化・変調部                ２２０：ＣｏＭＰ通信制御部
２２１：ＣｏＭＰ通信要求信号作成部    ２２５：セル情報抽出部
【図１】
0005445585.tif 000024
【図２】
0005445585.tif 000025
【図３】
0005445585.tif 000026
【図４】
0005445585.tif 000027
【図５】
0005445585.tif 000028
【図６】
0005445585.tif 000029
【図７】
0005445585.tif 000030
【図８】
0005445585.tif 000031
【図９】
0005445585.tif 000032
【図１０】
0005445585.tif 000033
【図１１】
0005445585.tif 000034
【図１２】
0005445585.tif 000035
【図１３】
0005445585.tif 000036
【図１４】
0005445585.tif 000037
【図１５】
0005445585.tif 000038
【図１６】
0005445585.tif 000039
【図１７】
0005445585.tif 000040
【図１８】
0005445585.tif 000041
【図１９】
0005445585.tif 000042
【図２０】
0005445585.tif 000043
【図２１】
0005445585.tif 000044
【図２２】
0005445585.tif 000045
【図２３】
0005445585.tif 000046
【図２４】
0005445585.tif 000047